(57)【要約】【課題】一台で多種多用な筋力トレーニング及びストレッチができ、かつコンパクトで収納に便利な多目的運動器具を提供する。【解決手段】本発明に係る多目的運動器具は、床面に設置され、かつ凹円弧状案内溝を有するベース部と、ベース部上に設置され、かつ凹円弧状案内溝に支持されてベース部上で円弧運動可能なシート部と、  ベース部の左右両外側に設置されるサイドベース部と、サイドベース部に対して回転可能で、かつアームを着脱可能に支持するアーム支持体を有し、アーム支持体は記サイドベース部内に設置された弾性体によって回転方向に張力が付与されている。【選択図】図１
2018064796.tif 000002
【特許請求の範囲】
【請求項１】
床面に設置され、かつ凹円弧状案内溝を有するベース部と、
前記ベース部上に設置され、かつ前記凹円弧状案内溝に支持されて前記ベース部上で円弧運動可能なシート部と、
前記ベース部の左右両外側に設置されるサイドベース部と、
前記サイドベース部に対して回転可能で、かつアームを着脱可能に支持するアーム支持体を有し、
前記アーム支持体は、前記サイドベース部内に設置された弾性体によって回転方向に張力が付与されている、
ことを特徴とする多目的運動器具。
【請求項２】
前記アームは、左右の各前記アーム支持体のいずれに対しても着脱可能である、
ことを特徴とする請求項１に記載の多目的運動器具。
【請求項３】
前記ベース部には、前記ベース部に対する前記シート部の円弧運動を規制するロック機構を更に有する、
ことを特徴とする請求項１又は２に記載の多目的運動器具。
【請求項４】
前記サイドベース部には、前記弾性体の張力を調整可能な調整手段が更に設けられている、
ことを特徴とする請求項１ないし３のいずれか１項に記載の多目的運動器具。
【請求項５】
前記調整手段は段階的な固定式、又は無段階のネジ式である、
ことを特徴とする請求項４に記載の多目的運動器具。
【請求項６】
前記弾性体は金属製バネ又はゴムである、
ことを特徴とする請求項１ないし５のいずれか１項に記載の多目的運動器具。
【請求項７】
前記ベース部の上面と前記シート部の下面は、同形状で相対する凹円弧面及び凸円弧面に形成されている、
ことを特徴とする請求項１ないし６のいずれか１項に記載の多目的運動器具。
【請求項８】
前記ベース部には、前記シート部の円弧運動の範囲を規制するストッパーが更に設けられている、
ことを特徴とする請求項１ないし７のいずれか１項に記載の多目的運動器具。
【発明の詳細な説明】
【技術分野】
【０００１】
本発明は、自宅リビング等の狭い場所でも使用することが可能な筋力トレーニング用或いはストレッチ用の多目的運動器具に関する。
【背景技術】
【０００２】
従来から、油圧シリンダーやバネ等の弾性体を負荷とするローイング運動（ボート漕ぎ運動）によって筋力トレーニングが出来る運動器具は良く知られている。また、自重を負荷としてローイング運動を行える運動器具も特許文献1等に開示されている。
【０００３】
しかしながら、従来のローイング運動が出来る運動器具は、いずれもローイング運動のみしかできず、鍛えることができる体の部分も限定的であった。しかも器具全体が大きく重いため、自宅リビング等での使用や収納場所に困ると言う問題があった。
【０００４】
一方、多種多様、多目的な筋力トレーニングが可能な運動器具として、特許文献２に開示されたものがある。しかしながら特許文献２に開示された発明は、構造が複雑で部品点数も多く製造コストがかかる上、収納時、使用再開時の組立に手間がかかると言った問題があった。
【先行技術文献】
【特許文献】
【０００５】
【特許文献１】実用新案登録第３１３０６９３号
【特許文献２】特開２００５-７４２１４号公報
【発明の概要】
【発明が解決しようとする課題】
【０００６】
本願発明は、上記した従来技術が持つ課題を解決し、自宅リビング等の狭い場所でも使用できるコンパクトな構造でありながら、様々な筋力トレーニング或いはストレッチを行うことができる多目的運動器具を提供することを目的とする。
【課題を解決するための手段】
【０００７】
上記目的を達成するため、本願発明に係る多目的運動器具は、床面に設置され、かつ凹円弧状案内溝を有するベース部と、前記ベース部上に設置され、かつ前記凹円弧状案内溝に支持されて前記ベース部上で円弧運動可能なシート部と、前記ベース部の左右両外側に設置されるサイドベース部と、前記サイドベース部に対して回転可能で、かつアームを着脱可能に支持するアーム支持体を有し、前記アーム支持体は、前記サイドベース部内に設置された弾性体によって回転方向に張力が付与されている、ことを特徴とする。
【発明の効果】
【０００８】
上記した本願発明によれば、ローイング運動に加えて腹筋運動も同時に行うことができ、かつ弾性体により付勢されたアームを使用することにより腹筋運動が苦手な人でも弾性体の補助力により楽に起き上がることができる上に、構造がシンプルで安価に製造でき、かつコンパクト化が可能で、狭い自宅リビング等での使用や収納が容易である。
【０００９】
また、各種の実施形態によれば、弾性体の強度を調整可能とすることで、自分に適した強さを選択して各種の筋力トレーニングを実施することが可能となり、また左右のアームを逆にして取付けることで、背筋や太腿裏の筋力トレーニングも可能となる。さらには、アームを取外した状態にすると、シート部に足や腹部を乗せた搖動運動も可能となり、一台で各種の筋力トレーニングやストレッチを行うことができる。
【図面の簡単な説明】
【００１０】
【図１】本願発明の実施形態に係る多目的運動器具の斜視図である。
【図２】ベース部とシート部の連結構造説明図である。
【図３】サイドベース部の内部構造を示す側面図である。
【図４】弾性体（バネ）の張力調節手段を示す図である。
【図５】ベース部に設置されているロックプレートを示す図である。
【図６】アームを取り外し、ベース部とサイドベースの間に収納した様子を示す図である。
【図７】実施形態に係る多目的運動器具を用いてローイング運動と腹筋運動を複合したトレーニングを実施している様子を示す図である。
【図８】実施形態に係る多目的運動器具を用いて上腕と背筋を鍛える運動を行う様子を示す図である。
【図９】実施形態に係る多目的運動器具を用いて二の腕（上腕三頭筋）を鍛える運動を行う様子を示す図である。
【図１０】実施形態に係る多目的運動器具を用いて太腿、背筋を鍛える運動を行う様子を示す図である。
【図１１】実施形態に係る多目的運動器具を用いて背筋、上腕を鍛える運動を行う様子を示す図である。
【図１２】実施形態に係る多目的運動器具を用いて脇腹の筋トレや骨盤矯正効果のある運動を行う様子を示す図である。
【発明を実施するための形態】
【００１１】
以下、本願発明の実施形態につき、各図を用いて詳細に説明する。なお、本願発明は、以下説明する実施形態の構成に限らず、本願発明の目的を達成し、特許請求の範囲に記載した範囲内におけるあらゆる具体的形態を含むものである。
【００１２】
図１は、本願発明に係る多目的運動器具の全体を示す斜視図であり、当該多目的運動器具は、床面等に設置されるベース部１と、その上に設置するシート部２と、ベース部２の両側に配置されたサイドベース４と、サイドベース４に対して回転可能でかつ着脱自在に取付けられるアーム３とで構成されている。また、アーム３には使用者が把持するハンドル部１３が固定されている。本実施形態では、ベース部１は左右対称に配置された２つの部材から構成され、２つのサイドベース４を含めて前後２本のシャフト５で連結しているが、ベース部１は１つの箱型で構成しても良く、またサイドベース４はベース部１と一体構造としても良い。
【００１３】
図２はベース部１とシート部２の連結構造を示す図である。ベース部１の上面には凹円弧状の案内溝６が形成されており、シート部２の下面に固定した２つのキャスター８が前記案内溝６内を走行することにより、シート部２は、ベース部１上において円弧運動するようになっている。シート部２の上面は中央がゆるやかに窪んだ形状となっており、運動の快適さのために、クッション性がある素材で構成するのが好ましい。ベース部１とシート部２の連結構造は、図示したもの以外にも様々な構造とすることができる。例えば、ベース部１の側面に凹円弧状からなる案内溝を形成し、当該側面に形成した案内溝でシート部の円弧運動を実現できるようにすれば、ベース部１の上面とシート部２の下面を凹凸の円弧面で合わせることができ、ベース部１とシート部２との隙間に指を挟む等の事故を防止、軽減することができる。
【００１４】
ベース部１の長手方向前後箇所には、シート部２が前後に揺動した際、そのキャスター８が案内溝６から脱輪しないよう、搖動範囲を規制するためのストッパー９が設置されており、シート部２に固定されたシート突起１０と当接することにより、シート部２の脱輪を防止（搖動範囲を規制）している。なお、ストッパー９の素材はシート突起１０との衝突衝撃を緩和するため、ゴム製等のクッション性のあるものが好ましい。
【００１５】
図３はサイドベース部４の内部構成を示す側面図である。図３−１はアーム３が初期状態にある様子、図３−２はアーム３を持ち上げて弾性体２０が伸びた状態を示している。アーム３は、サイドベース部４に固定された支軸に対して回転可能なアーム支持体７に着脱自在に装着され、サイドベース部４に対して回転可能となっている。
【００１６】
アーム支持体７は、支軸を中心にした一方側にアーム３を着脱自在に装着すための凸部を有し、他方側には弾性体２０の一端を取付けるためのレバー部２１を有している。図中１１は、アーム３とアーム支持体７との係合を強固にするためのロックピンである。アーム３とアーム支持体７との係合構造及び形状は、左右どちらも同じであり、２つのアーム３は、左右どちらのアーム支持体７にも取付けることができるようになっている。これにより、ハンドル部１３が両方とも外側を向く状態、或いは両方とも内側を向く状態（後述、図１０参照）で、アーム３をアーム支持体７に取付けることができるようになっている。
【００１７】
弾性体２０の他端は、強度調整レバー２２に接続されており、図４に示すとおり、サイドベース部４の上面に設けられた４つの係合溝に係合させることよって、その張力を４段階に調節可能となっている。弾性体２０の張力調整手段としては、上記のような段階的な手段のみならず、ネジ式等によって無段階に調節できるようにしても良い（図示せず）。また本実施形態における弾性体２０は、金属製のスプリングバネとなっているが、ゴム等の他の手段を用いても良い。
【００１８】
本発明に係る多目的運動器具は、様々な運動を実現するため、ベース部１に対するシート部２の円弧運動をロックし、シート部２が固定された状態とすることが出来るようにしている。図５に示すとおり、ベース部１に対して回転可能なロックプレート１２を設け、シート部２に設けられたピンに係合して固定することで、シート部２はベース部１に対して固定され揺動しないようにしている。なお、ロックするための手段は、上記構成に限らず、単純なピンと孔による係合であっても良い。
【００１９】
図６は、アーム３を利用しない運動を実施する時、或いは運動を終えて収納する際に、アーム３をアーム支持体７から取り外し、ベース部１とサイドベース部４の間に設けられた空間に収納している様子を示した図である。これにより多目的運動器具を使用しない場合、コンパクトに収納することが可能となっている。
【００２０】
上記した構成からなる本願発明の多目的運動器具を用いて、様々な筋力トレーニング及びストレッチを行う方法について説明する。
【００２１】
図７は、本願発明の多目的運動器具を使用することによって実現可能なローイング運動と腹筋運動を複合したトレーニングを行う様子を示す図である。図７−１に示すとおり、まず使用者はシート部２に着座し、アーム３の先端にあるグリップ１３を両手で掴む。その後、図７−２に示すように、アーム３を手前に引きつつ体を後方に倒れ込ませローイング運動を行う。この時、弾性体２０の張力に抗してアーム３が引き上げられるとともに、シート部２が円弧運動しながら前方に揺動する。
【００２２】
その後、今度は身体を起き上がらせて、図７−１の状態に戻るシットアップ運動（腹筋運動）に移るが、その際、弾性体２０の張力が付されたアーム３の元に戻る力が、シットアップ運動を補助する。同時に、シート部２はベース部１上で円弧運動するため、起き上がりをより楽にすることができる。またシットアップ運動は、臀部とシート面との間に摩擦が生じ、臀部の皮膚を損傷する恐れがあるが、本願発明の多目的運動器具によれば、シート部２が円弧運動によって揺動するため、臀部の皮膚を傷める危険性も軽減することができる。
【００２３】
図８は、本願発明の多目的運動器具を使用することによって実現可能な上腕と背筋を同時に鍛える運動を行う様子を示す図であり、図８−１が初期状態、図８−２がアーム３を引き上げた状態である。使用者は、シート部２をベース部１に対して固定した状態（ロックプレート１２によって固定した状態）にして着座し、両手でアーム３を引き寄せることで、上腕と背筋を同時に鍛えることができる。アーム３は、弾性体２０によって張力が付されているため、その張力に抗してアームを引き上げることで負荷を与えることができる。また、弾性体２０の張力は可変となっているため、使用者が求める負荷を可変に設定することができる。
【００２４】
図９は、本願発明の多目的運動器具を使用することによって実現可能な二の腕（上腕三頭筋）を鍛える運動を行う様子を示す図である。使用者は、図８と同様にシート部２をベース部１に固定した状態で、アーム３を背中側にして着座し、後ろに伸ばした手によってアーム３を引き上げることにより、二の腕（上腕三頭筋）を鍛えることができる。この運動においても、弾性体２０の張力は可変となっているため、使用者が求める負荷を可変に設定することができる。
【００２５】
図１０は、本願発明の多目的運動器具を使用することによって実現可能な太腿と背筋を同時に鍛える運動を行う様子を示す図である。使用者は、左右のアーム３を入れ替え、ハンドル部１３が互いに内向きに向き合うようにし、シート部２をベース部１に固定した状態で、腹部をシート部２に乗せた伏臥位状態とし、足首をハンドル部１３の下に挿入して膝を曲げながらアーム３を引き上げることで太腿と背筋を同時に鍛えることができる。このように本願発明の多目的運動器具は、左右のアーム３を入れ替え、ハンドル部１３が互いに内向きに向き合うようにすることができるため、太腿及び背筋も鍛えることができる。この運動においても、弾性体２０の張力は可変となっているため、使用者が求める負荷を可変に設定することができる。
【００２６】
図１１は、本願発明の多目的運動器具を使用することによって実現可能な背筋と上腕を同時に鍛える運動を行う様子を示す図である。使用者は、アーム３をサイドベース部４から取り外し、ロックプレート１２を解除してシート部２が円弧運動可能な状態とし、腹部をシート部２に乗せた伏臥位の姿勢をとり、床面に接地した両手を支点に上半身を上下させることでシート部２が揺動して足が持ち上がり、背筋と上腕を同時に鍛えることができる。
【００２７】
図１２は、本願発明の多目的運動器具を使用することによって実現可能な脇腹の筋トレや骨盤矯正効果のある運動を行う様子を示す図である。使用者は、アーム３をサイドベース部４から取り外し、ロックプレート１２を解除してシート部２が円弧運動可能な状態とする。この状態で、図１２−１に示す例ではシート部２に臀部を乗せた横向き仰臥位状態として脇腹や骨盤を円弧運動させることができ、また図１２−２に示す例では、シート部２にふくらはぎを乗せて仰臥位状態として骨盤を円弧運動させることができ、図１２-３に示す例では、シート部２に横向き着座した状態でシート部２を左右に揺動させることで、脇腹等の筋肉を鍛えるとともに骨盤を円弧運動させることができる。
【００２８】
以上のとおり、本願発明によれば、ローイング運動に加えて腹筋運動も同時に行うことができ、かつ弾性体により付勢されたアームを使用することにより腹筋運動が苦手な人でも弾性体の補助力により楽に起き上がることができる上に、構造がシンプルで安価に製造でき、かつコンパクト化が可能で、狭い自宅リビング等であっても使用や収納が容易である。
【００２９】
また、各種の実施形態によれば、弾性体の強度を調整可能とすることで、自分に適した強さを選択して各種の筋力トレーニングを実施することが可能となり、また左右のアームを逆にして取付けることで、背筋や太腿裏の筋力トレーニングも可能となる。さらには、アームを取外した状態にすると、シート部に足や腹部を乗せた搖動運動も可能となり、一台で各種の筋力トレーニングやストレッチを行うことができる。
【符号の説明】
【００３０】
１    ベース部
２    シート部
３    アーム
４    サイドベース部
５    シャフト
６    案内溝
７    アーム支持体
８    キャスター
９    ストッパー
１０  シート突起
１１  ロックピン
１２  ロックプレート
１３  ハンドル部
２０  弾性体
２１  レバー部
２２  強度調整レバー
【図１】
2018064796.tif 000003
【図２】
2018064796.tif 000004
【図３】
2018064796.tif 000005
【図４】
2018064796.tif 000006
【図５】
2018064796.tif 000007
【図６】
2018064796.tif 000008
【図７】
2018064796.tif 000009
【図８】
2018064796.tif 000010
【図９】
2018064796.tif 000011
【図１０】
2018064796.tif 000012
【図１１】
2018064796.tif 000013
【図１２】
2018064796.tif 000014